(57)【要約】【課題】ガイド壁により、隣り合う植物の葉が成長に伴って互いに重なり合うのを阻止又は抑制することができるようになされていながら、植物が生育初期段階の未だ小さい状態にあっても、そのような植物に十分な量の光を付与することができる植物栽培システムを提供する。【解決手段】栽培容器２が、該容器２よりも上方に突出するガイド壁３の高さ寸法を小さくしたり若しくはなくしたり、該寸法を大きくしたりするように、ガイド壁３に妨げられることなく、昇降させることができるようになされており、該栽培容器２をそのように昇降させる昇降機構４が備えられ、該昇降機構４によって栽培容器２を昇降させることにより、該栽培容器２を栽培用光源２に対して接近状態にしたり離反状態にしたりすることができるようになされている。【選択図】      図１
2012249525.tif 000002
【特許請求の範囲】
【請求項１】
栽培用光源と、
該光源の下方に設けられた栽培容器と、
該容器に植え付けられた隣り合う植物の葉が成長に伴って互いに重なり合うのを阻止又は抑制すべく隣り合う植物の間を仕切るガイド壁と
が備えられ、
前記栽培容器は、該容器よりも上方に突出するガイド壁の高さ寸法を小さくしたり若しくはなくしたり、該寸法を大きくしたりするように、ガイド壁に妨げられることなく、昇降させることができるようになされていると共に、該栽培容器をそのように昇降させる昇降機構が備えられ、該昇降機構によって栽培容器を昇降させることにより、該栽培容器を栽培用光源に対して接近状態にしたり離反状態にしたりすることができるようになされていることを特徴とする植物栽培システム。
【請求項２】
所定の高さ位置に備えられる上下の棚のうちの上棚に、前記光源が、下方に向けて照らすように設けられていると共に、
下棚に、前記ガイド壁が立設されており、かつ、
該上下の棚間で、前記栽培容器が昇降するようになされている請求項１に記載の植物栽培システム。
【発明の詳細な説明】
【技術分野】
【０００１】
本発明は、植物栽培システムに関する。
【背景技術】
【０００２】
植物工場などにおいて用いられる野菜等の植物栽培システムとして、光合成を制御する目的で、栽培容器の上方に備えられる栽培用光源を可動に構成し、該光源を、水平方向に移動させることができるようになされていたり、あるいは、栽培容器に対して接近させたり離反させたりすることができるようになされていたりするものは提供されている。
【先行技術文献】
【特許文献】
【０００３】
【特許文献１】特開平０６−１９７６３７号公報
【発明の概要】
【発明が解決しようとする課題】
【０００４】
ところで、複数の植物を一つ又は複数の栽培容器に植え付けると、隣り合う植物が、成長に伴って、葉を互いに重なり合わせるようになってしまい、それが原因で植物の光合成が阻害されることから、それを阻止する又は抑制する目的で、隣り合う植物の間をガイド壁で仕切ることが考えられている。
【０００５】
しかるに、かかるガイド壁は、光源と容器との間に存在し、成長して大きくなった隣り合う植物の間を仕切るのには役立つが、植物が生育初期段階の未だ小さい状態にあると、ガイド壁自体の存在が妨げとなって光源をそのような小さな植物に接近状態にするのが困難であったり、また、光源からの光がガイド壁により遮られてそのような小さい植物の葉に到達する光の量を少なくしてしまうという問題を生じる。
【０００６】
本発明は、上記のような問題点に鑑み、ガイド壁により、隣り合う植物の葉が成長に伴って互いに重なり合うのを阻止又は抑制することができるようになされていながら、植物が生育初期段階の未だ小さい状態にあっても、そのような植物に十分な量の光を付与することができる植物栽培システムを提供することを課題とする。
【課題を解決するための手段】
【０００７】
上記の課題は、栽培用光源と、
該光源の下方に設けられた栽培容器と、
該容器に植え付けられた隣り合う植物の葉が成長に伴って互いに重なり合うのを阻止又は抑制すべく隣り合う植物の間を仕切るガイド壁と
が備えられ、
前記栽培容器は、該容器よりも上方に突出するガイド壁の高さ寸法を小さくしたり若しくはなくしたり、該寸法を大きくしたりするように、ガイド壁に妨げられることなく、昇降させることができるようになされていると共に、該栽培容器をそのように昇降させる昇降機構が備えられ、該昇降機構によって栽培容器を昇降させることにより、該栽培容器を栽培用光源に対して接近状態にしたり離反状態にしたりすることができるようになされていることを特徴とする植物栽培システムによって解決される（第１発明）。
【０００８】
このシステムでは、ガイド壁が採用されていることにより、隣り合う植物の葉が成長に伴って互いに重なり合うのを阻止又は抑制することができて、成長した植物の光合成を効果的なものにすることができる。
【０００９】
しかも、栽培容器は、該容器よりも上方に突出するガイド壁の高さ寸法を小さくしたり、なくしたり、あるいは、該寸法を大きくしたりするように、ガイド壁に妨げられることなく、昇降させることができるようになされていると共に、該栽培容器をそのように昇降させる昇降機構が備えられ、該昇降機構によって栽培容器を昇降させることにより、該栽培容器を栽培用光源に対して接近状態にしたり離反状態にしたりすることができるようになされている。
【００１０】
これにより、植物が生育初期段階の未だ小さい状態にあるときは、昇降機構で栽培容器を上昇させ、該容器よりも上方に突出するガイド壁の高さ寸法を小さくしたり、なくしたりして、容器を光源に接近状態にすることによって、そのような小さな植物に対して、強い光を付与することができると共に、ガイド壁による光の遮りを抑えないしはなくすことができて、十分な量の光を付与することができる。
【００１１】
そして、植物が成長したら、昇降機構で栽培容器を下降させ、該容器よりも上方に突出するガイド壁の高さ寸法を大きくすることによって、該ガイド壁により、上記のように、隣り合う植物の葉が互いに重なり合うのが阻止又は抑制されて、成長した植物の光合成を効果的なものにすることができる。
【００１２】
その場合に、容器は光源から離反した状態となっているが、植物は上方に成長しているので、成長した植物の葉に対し、光源から強い光を付与することができると共に、ガイド壁による光の遮りを抑えないしはなくすことができて、十分な量の光を付与することができる。
【００１３】
とりわけ、植物の成長に伴って昇降機構で栽培容器を下降させると、植物の外周部がガイド壁により下から上へと撫で上げられ、それにより、植物の葉の表面が上に向くように促され、植物に効率の良い光合成を行わせることができる。
【００１４】
第１発明において、所定の高さ位置に備えられる上下の棚のうちの上棚に、前記光源が、下方に向けて照らすように設けられていると共に、
下棚に、前記ガイド壁が立設されており、かつ、
該上下の棚間で、前記栽培容器が昇降するようになされているとよい（第２発明）。
【００１５】
この場合は、栽培容器が、所定の高さ位置に備えられた上下の棚間で昇降するようになされているので、上棚に対する光源の設置を容易にすることができると共に、ガイド壁の設置を下棚を利用して容易にすることができて、簡素構造によって全体を構成することができる。
【発明の効果】
【００１６】
本発明は、以上のとおりのものであるから、ガイド壁により、隣り合う植物の葉が成長に伴って互いに重なり合うのを阻止又は抑制することができるようになされていながら、植物が生育初期段階の未だ小さい状態にあっても、そのような植物に十分な量の光を付与することができる。
【図面の簡単な説明】
【００１７】
【図１】実施形態の植物栽培システムを示すもので、図（イ）は図（ロ）のＩ−Ｉ線矢視平面図、図（ロ）は図（イ）のＩＩ−ＩＩ線矢視正面図、図（ハ）は側面図、図（ニ）は植物植付け状態の平面図である。
【図２】図（イ−１）及び図（イ−２）は、栽培容器を上昇させた状態を示す正面図、側面図、図（ロ−１）及び図（ロ−２）は、栽培容器を下降させた状態を示す正面図、側面図である。
【図３】図（イ−１）及び図（イ−２）は、植物が生育初期段階で未だ小さい状態の栽培容器上昇状態を示す正面図、側面図、図（ロ−１）及び図（ロ−２）は、植物成長後の栽培容器下降状態を示す正面図、側面図である。
【図４】実施形態の栽培システムを組み込んだ植物工場の一例を示す正面図である。
【発明を実施するための形態】
【００１８】
次に、本発明の実施形態を図面に基づいて説明する。
【００１９】
実施形態の植物栽培システムは、水耕栽培システムからなっており、同システムを示す図１〜図３において、１は栽培用光源、２は栽培容器、３はガイド壁、４は昇降機構である。
【００２０】
本実施形態では、図１に示すように、上下の棚５ａ，５ｂが備えられており、該上下の棚５ａ，５ｂはそれぞれ、所定の高さ位置に、高さ位置固定で備えられていて、栽培用光源１は、上棚５ａの下面部に、下方に向けて光を放射して照らすように設けられ、ガイド壁３は、下棚５ｂの上に立設されており、栽培容器２は、上下の棚５ａ，５ｂ間で、昇降機構４によって昇降することができるように備えられている。
【００２１】
栽培容器２は、平面視長方形状のものからなっていて、複数の植物６…を容器２の長手方向に間隔をおいて一列状態に植え付けることができるようになされている。該栽培容器２は、上下の棚５ａ，５ｂ間に、複数、具体的には２つ、互いに間隔をおいて平行並列状態に備えられている。  
栽培用光源１は、ＬＥＤ等を用いて構成された直線ライン状のものからなっており、ライン方向を容器２の長手方向に向けるようにして各栽培容器２の真上に位置して、対応数備えられている。
【００２２】
ガイド壁３は、各栽培容器２において一列配置にされた植物６…間を仕切る仕切り壁部３ａ…と、隣り合う栽培容器２，２間を仕切る仕切り壁部３ｂとを備えていて、各栽培容器２において一列配置にされる植物６…間を仕切る仕切り壁部３ａ…は、栽培容器２，２の昇降動作を妨げないように控えて備えられ、ガイド壁３におけるこれら仕切り壁部３ａ…，３ｂが、栽培容器２に植え付けられた隣り合う植物６…の葉が成長に伴って互いに重なり合うのを阻止又は抑制するようになされている。
【００２３】
そして、各栽培容器２，２は、図２（イ−１）（イ−２）に示すように、該容器２，２よりも上方に突出するガイド壁３の高さ寸法を小さくしたり若しくはなくしたり、図２（ロ−１）（ロ−２）に示すように、該高さ寸法を大きくしたりするように、昇降させることができるようになされていて、その昇降のために昇降機構４，４が備えられていて、該昇降機構４によって栽培容器２を昇降させることにより、栽培容器２を栽培用光源１に対して接近状態にしたり離反状態にしたりすることができるようになされている。
【００２４】
なお、これらの栽培容器２，２は、同期して同じように昇降するようになされていてもよいし、互いに独立して個別に昇降することができるようになされていてもよい。昇降機構としては、ワイヤー巻上げ方式のほか、種々の方式による昇降機構が採用されてよい。
【００２５】
上記の植物栽培システムでは、図３（イ−１）（イ−２）に示すように、植物６が生育初期段階の未だ小さい状態にあるときは、昇降機構４で栽培容器２を上昇させ、該容器２よりも上方に突出するガイド壁３の高さ寸法を小さくしたり、なくしたりして、容器２を光源１に接近状態にすることによって、そのような小さな植物６に対して、強い光を付与することができると共に、ガイド壁３による光の遮りを抑えないしはなくすことができて、十分な量の光を付与することができる。
【００２６】
そして、図３（ロ−１）（ロ−２）に示すように、植物６が大きく成長したら、昇降機構４で栽培容器２を下降させ、該容器２よりも上方に突出するガイド壁３の高さ寸法を大きくする。これにより、隣り合う植物６…の葉は、該ガイド壁３により、互いに重なり合うのが阻止又は抑制されて、成長した植物６…の光合成を効果的なものにすることができる。
【００２７】
その場合に、容器２は光源１から離反した状態となっているが、植物６は上方に成長しているので、成長した植物６の葉に対し、光源１から強い光を付与することができると共に、ガイド壁３による光の遮りを抑えないしはなくすことができて、十分な量の光を植物６に付与することができる。
【００２８】
そして、上記のように、植物６の成長に伴って栽培容器２を下降させると、植物６の外周部はガイド壁３により下から上へと撫で上げられ、それにより、植物６の葉の表面が上に向くように促され、植物６に効率の良い光合成を行わせることができる。
【００２９】
また、本実施形態では、栽培容器２が、所定の高さ位置に備えられた上下の棚５ａ，５ｂ間で昇降するようになされているので、上棚５ａに対する光源１の設置を容易にすることができると共に、ガイド壁３の設置を下棚５ｂを利用して容易にすることができて、簡素構造によって全体を構成することができる。
【００３０】
なお、本実施形態の植物栽培システムは、図４（イ）に示すように、上下方向に多段に備えられた棚５…間を利用して、多段に構成することも可能で、その場合に、上下方向において隣り合う栽培容器２，２をつなぐ養液配管７ａとして、図４（ロ）に示すような配管伸縮機構を採用しておくことによって、養液の循環を保ちながら、上下の栽培容器２，２を個別に昇降させることができる。８は養液タンク、７は養液配管、９はポンプである。
【００３１】
以上に、本発明の実施形態を示したが、本発明はこれに限られるものではなく、発明思想を逸脱しない範囲で各種の変更が可能である。例えば、栽培用光源の形態や、栽培容器の数や形態、ガイド壁の形態等に制限はなく、種々の形態、種々の数のもので構成されていてよい。また、上下の棚５ａ，５ｂの高さ位置の関係は、固定であってもよいし、調節可能であってもよい。
【符号の説明】
【００３２】
１…栽培用光源
２…栽培容器
３…ガイド壁
４…昇降機構
５ａ…上棚
５ｂ…下棚
６…植物
【図１】
2012249525.tif 000003
【図２】
2012249525.tif 000004
【図３】
2012249525.tif 000005
【図４】
2012249525.tif 000006